(57)【要約】【課題】  簡単な構成で、鎖体の輪の大きさを容易に且つ自由に調整できるようにした装身具とその製造手段を提供すること。【解決手段】  首などに巻装できる鎖体と、該鎖体に掛止できる装飾体からなり、装飾体は中空の球状体で、鎖体の断面径よりやや大きい少なくとも２個の透孔がありかつ上記球体内に収められ、その外径が上記透孔よりやや大きく、内径が上記鎖体の断面径よりやや小さい円筒状の弾性係止片を設けてなる。【選択図】図１
2006217989.tif 000002
【特許請求の範囲】
【請求項１】
使用者の首部に捲装されるチェーン本体にあって、使用者の前面（胸部）に現されるブローチ本体を移動可能にチェーン本体に吊り下げ、チェーン本体の一端は該チェーン本体を挿通させることができ、この挿通時チェーン本体の自由な移動行為を制御できる係合子に固着し、かつこのチェーン本体の他端は、上記係合子に挿通させてのち使用者の後面（背部）に現され後面側の重りとなるブローチ本体を吊り下げたことが特徴のネックレス。
【請求項２】
前記請求項１に示した使用者の前面及び後面に位置するブローチ本体の重さは、それぞれ同一若しくはそれに近いものとすることが特徴のネックレス。
【請求項３】
上記請求項１における係合子は、チェーン本体の断面径よりやや大きい少なくとも２個の透孔がありかつ、球体内に収められその外径が上記透孔よりやや大きく、内径が上記チェーン本体の断面径よりやや小さい円筒状の弾性係止片としたことが特徴のネックレス。
【発明の詳細な説明】
【技術分野】
【０００１】
この発明はネックレスに関し、特にブローチを吊り下げたネックレスの改良に関する。
【背景技術】
【０００２】
近頃のネックレスは、単にチェーン状のものを首に捲装するだけではなく、当該ネックレス本体の一部に宝石などを散りばめたブローチを、当該ブローチがネックレス本体に沿って移動できるよう吊り下げ、このブローチが使用者の胸元を飾ると同時に使用者の歩行などで揺動し、あるいは少しネックレス本体に沿って滑動させることで、よりその存在をアピールするような構造のものが流行している。
【０００３】
一方、ネックレス本体は使用者の首廻りに合わせて調節できるように工夫された構造のものが出廻っている。（特許文献１及び２参照）
その構造は、上記ネックレス本体の一端に該ネックレスが本体の他端部を挿通させることができる係合子を設けたものであり、かかる係合子はネックレス本体の摺動を制御する作用をもっている。
【０００４】
而して、使用者はネックレス本体を首に捲装しブローチ本体を胸元に、上記係合子を背にして、ネックレス本体の長さ（径）を調節して使用するものである。しかし、通常の多くは各種の装飾を施したブローチ本体の荷重に対して、上記の係合子が軽いため使用者の歩行などによるネックレス本体の揺動で係合子がブローチ本体側に移動し、結局は知らない間にブローチ本体と係合子と、該係合子から引き伸ばされたネックレス本体の他端が一緒となって、使用者の胸元に位置するなど不体裁な不祥事を招く結果となっていた。
【０００５】
また近頃の女性は背の部分が大きく開かれた衣服を着用することが流行している。而して単の従来のネックレスでは使用者の背の上端部水平位置にチェーンの一部があるだけで、広く開かれた背中の部分は何の装飾もされなかった。
【特許文献１】特開２００１−２３１６１５（要約書）
【特許文献２】特開２００２−２７２５１４（要約書）
【発明の開示】
【発明が解決しようとする課題】
【０００６】
而して本発明は、この点に本発明は着目し、背中も胸部と同様にブローチ本体が配置され所謂「背中美人」と称されるような飾り付けができるようにしたネックレスを提供することである。
【０００７】
また、使用者が本発明のネックレスを使用して、その使用に際してネックレスが激しく揺動しても、当該ネックレスが首の廻りに沿って滑り動くのを阻止し、上記従来の欠点を防止することを目的とする。
【０００８】
而して本発明の特徴は、使用者の首部に捲装されるチェーン本体にあって、使用者の前面（胸部）に現されるブローチ本体を移動可能にチェーン本体に吊り下げ、チェーン本体の一端は該チェーン本体を挿通させることができ、この挿通時チェーン本体の自由な移動行為を制御できる係合子に固着し、かつこのチェーン本体の他端は、上記係合子に挿通させてのち使用者の後面（背部）に現され後面側の重りとなるブローチ本体を吊り下げたネックレスを提供することにある。
【０００９】
またこの場合上記の使用者の前面及び後面に位置するブローチ本体の重さは、それぞれ同一若しくはそれに近いものとすることもその特徴である。
【００１０】
さらに上記の係合子は、チェーン本体の断面径よりやや大きい少なくとも２個の透孔がありかつ、球体内に収められその外径が上記透孔よりやや大きく、内径が上記チェーン本体の断面径よりやや小さい円筒状の弾性係止片としたことも本発明の特徴である。
【発明の効果】
【００１１】
而して本発明は、装着者（使用者）の前面に位置するブローチ本体と、同後面（背面）に位置するブローチ本体とを同時にチェーン本体に設けたから、それぞれのブローチ本体は使用者の前面と後面で仮令前面のブローチ本体が揺れ動いても、後者のそれにも独自の重さとなるブローチ本体は互いに干渉することなく安定した状態で、吊り下げられるチェーン本体が使用者の首に沿って廻動することがなく、このため前面と後面のブローチ本体や、チェーン本体の止め金具である係合子がそれらのブローチ本体と一体化して、外観的に体裁が悪くなる虞もないのである。
【００１２】
なお、それぞれのブローチ本体は、少なくともそれぞれのブローチ本体の重さを同等あるいはそれに近いものとすることによって、それぞれの揺動等の動きを他方のブローチ本体に伝え、チェーン本体を介して一方のブローチ本体を濫に移動させるなどの不体裁を未然に防止することができるのである。
【００１３】
また、上記係合子は上記の構造とすることによってこれら両者の係止作業、即ちチェーン本体の首まわりの調査作業はスムーズであり乍ら、確実に掛止することができ使用者の所望の位置に装飾体を配することができるのである。
【００１４】
以上述べたように本発明のネックレスは、極く簡単な作業でブローチ本体及びこれにチェーン本体を取付けることができ、かつチェーン本体に取付けられた係合子の位置を用意に変え得ると共に、仮令振動などがあってもその変えた位置がみだりに変えられることがない装身具を提供できたのである。
【発明を実施するための最良の形態】
【００１５】
図３で（１）は装飾が施された仮令えば直線状鎖状のチェーン本体であり、（２）はこれを身体に装着した際、前面に現される前面ブローチ本体であり、該前面ブローチ本体（１）の上端には透孔（３）がある止め金（４）があってかかる透孔（３）に上記チェーン本体（１）を挿通させることによって、ブローチ本体（２）はチェーン本体（１）に沿って自由に滑動することができる。
【００１６】
このチェーン本体（１）の一端は、後述する係合子（５）に固着されており、他端は、この係合子（５）の一方から該係合子（５）内を通過させて他方から引き出し、その末端に当該チェーン本体（１）を身体に装着した際、身体の後面（背部）に現される後面ブローチ本体（６）が固定されている。
【００１７】
この際この実施例で最も重要なことは、上記前面ブローチ本体（２）と後面ブローチ本体（６）のウェイト（重さ）の関係で、それぞれは略同一の重さか、あるいはそれに近い重さとすることが肝要である。
【００１８】
図５と図６で上記係合子（５）を詳細に述べると、金属、合金、プラスチック、セラミックを含む各種鉱石の材料で作られ、通常は球状で中は球状の空胴（７）となっている。
【００１９】
（８）は上記係合子（５）の中心軸線の両側に穿たれた透孔であり、（９）はこの係合子（５）の空胴（７）内に押し込まれるゴム、シリコンゴム、軟質合成樹脂などから作られる係止片であり、図６は弾性体からなる係止片（９）の斜視図である。
【００２０】
この係止片（９）は、中心軸線上に上記チェーン本体（１）が摺動可能に挿通される挿通孔（１０）がある円筒形状で、その外径は上記透孔（８）の内径より僅か小径のものとする。
【００２１】
またその長さは上記係合子（５）の空胴の内巾より短いサイズのものが好しい。
【００２２】
この係止片（９）を係合子（５）に挿入するには、先ずチェーン本体（１）を係止片（９）の挿通孔（１０）に挿通しておくことが好しい。次いで、このチェーン本体（１）を係合子（５）のそれぞれの透孔（８）に通したのち、係止片（９）の一端を上記一方の透孔（８）の周囲に押し当る。
【００２３】
然るのち当該係止片（９）を押し当つつ仮令えば回転力を与え、ゆっくりゆっくり廻すと、係止片（９）はその弾力により少しずつ係合子（５）内に挿入される。
【００２４】
この挿入手段を続けることで係止片（９）は係合子（５）の空胴（７）内に収り、その両端は係止片（９）の長がかかる空胴の巾より稍々長いことから空胴（７）内の両端の壁に密に係合され、この空胴（７）内から係止片（９）が飛び出すことがないような工夫がなされている。
【００２５】
いま図１でダイヤモンドのようなブローチ本体（２）をもったもので該ブローチ本体（２）の取付位置を変えたときは、片方の手でブローチ本体（２）をもち、他方の手でチェーン本体（１）の一方を引っ張ればよい。
【００２６】
またかかるネックレスを首にかける場合などその大きさ（径）を変えたいときも、上記ブローチ本体（２）あるいは（６）のいずれか一方を片手でもち、他方の手でチェーン本体（１）を引っ張ればその径を自由な所望の大きさとすることができるのである。
【００２７】
而して、本発明のネックレスを使用するには、先ず環状となっている上記のチェーン本体（１）を身体の首部に捲装し、前面ブローチ本体（２）を身体の前面に吊り下げるようにし、同時に後面ブローチ本体（６）は身体の後面に吊り下げるようにする。
【００２８】
かくなすことにより、従来は身体の激しい振動などでチェーン本体（１）やブローチ本体（２）が移動し、このため係合子（３）が使用者の前面に移動し、ブローチ本体（２）と共にいつのまにか使用者の前面に共に現れ吊り下げられるような不祥事が未然に防止できたのである。
【００２９】
なお、本発明に於ける前面ブローチ本体（２）と後面ブローチ本体（６）は同等の重さかあるいは後面ブローチ本体（６）に上記係合子（３）の重さをプラスしたものとするとよい。
【図面の簡単な説明】
【００３０】
【図１】本発明ネックレスの実施例の正面図
【図２】同使用状態の説明図
【図３】同拡大正面図
【図４】チェーン本体とブローチ本体の取付状態を示す断面説明図
【図５】係合子の断面説明図
【図６】弾性係止片の斜視図
【符号の説明】
【００３１】
１          鎖体
１’        鎖体
２          装飾体
２’        装飾体
３          透孔
４          係止片
５          装身具
６          空胴
７          挿通孔
８          ブローチ体
９          副飾り
１０        バネ付フック体
１１        リング
【図１】
2006217989.tif 000003
【図２】
2006217989.tif 000004
【図３】
2006217989.tif 000005
【図４】
2006217989.tif 000006
【図５】
2006217989.tif 000007
【図６】
2006217989.tif 000008
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
使用者の首部に捲装されるチェーン本体にあって、使用者の前面（胸部）に現されるペンダント本体を移動可能にチェーン本体に吊り下げ、チェーン本体の一端は該チェーン本体を挿通させることができ、この挿通時チェーン本体の自由な移動行為を制御できる係合子に固着し、かつこのチェーン本体の他端は、上記係合子に挿通させてのち使用者の後面（背部）に現され後面側の重りとなるペンダント本体を吊り下げたことが特徴のネックレス。
【請求項２】
前記請求項１に示した使用者の前面及び後面に位置するペンダント本体の重さは、それぞれ同一若しくはそれに近いものとすることが特徴のネックレス。
【請求項３】
上記請求項１における係合子は、チェーン本体の断面径よりやや大きい少なくとも２個の透孔がありかつ、球体内に収められその外径が上記透孔よりやや大きく、内径が上記チェーン本体の断面径よりやや小さい円筒状の弾性係止片としたことが特徴のネックレス。
【手続補正２】
【補正対象書類名】明細書
【補正対象項目名】全文
【補正方法】変更
【補正の内容】
【発明の詳細な説明】
【技術分野】
【０００１】
この発明はネックレスに関し、特にペンダントを吊り下げたネックレスの改良に関する。
【背景技術】
【０００２】
近頃のネックレスは、単にチェーン状のものを首に捲装するだけではなく、当該ネックレス本体の一部に宝石などを散りばめたペンダントを、当該ペンダントがネックレス本体に沿って移動できるよう吊り下げ、このペンダントが使用者の胸元を飾ると同時に使用者の歩行などで揺動し、あるいは少しネックレス本体に沿って滑動させることで、よりその存在をアピールするような構造のものが流行している。
【０００３】
一方、ネックレス本体は使用者の首廻りに合わせて調節できるように工夫された構造のものが出廻っている。（特許文献１及び２参照）
その構造は、上記ネックレス本体の一端に該ネックレスが本体の他端部を挿通させることができる係合子を設けたものであり、かかる係合子はネックレス本体の摺動を制御する作用をもっている。
【０００４】
而して、使用者はネックレス本体を首に捲装しペンダント本体を胸元に、上記係合子を背にして、ネックレス本体の長さ（径）を調節して使用するものである。しかし、通常の多くは各種の装飾を施したペンダント本体の荷重に対して、上記の係合子が軽いため使用者の歩行などによるネックレス本体の揺動で係合子がペンダント本体側に移動し、結局は知らない間にペンダント本体と係合子と、該係合子から引き伸ばされたネックレス本体の他端が一緒となって、使用者の胸元に位置するなど不体裁な不祥事を招く結果となっていた。
【０００５】
また近頃の女性は背の部分が大きく開かれた衣服を着用することが流行している。而して単の従来のネックレスでは使用者の背の上端部水平位置にチェーンの一部があるだけで、広く開かれた背中の部分は何の装飾もされなかった。
【特許文献１】特開２００１−２３１６１５（要約書）
【特許文献２】特開２００２−２７２５１４（要約書）
【発明の開示】
【発明が解決しようとする課題】
【０００６】
而して本発明は、この点に本発明は着目し、背中も胸部と同様にペンダント本体が配置され所謂「背中美人」と称されるような飾り付けができるようにしたネックレスを提供することである。
【０００７】
また、使用者が本発明のネックレスを使用して、その使用に際してネックレスが激しく揺動しても、当該ネックレスが首の廻りに沿って滑り動くのを阻止し、上記従来の欠点を防止することを目的とする。
【０００８】
而して本発明の特徴は、使用者の首部に捲装されるチェーン本体にあって、使用者の前面（胸部）に現されるペンダント本体を移動可能にチェーン本体に吊り下げ、チェーン本体の一端は該チェーン本体を挿通させることができ、この挿通時チェーン本体の自由な移動行為を制御できる係合子に固着し、かつこのチェーン本体の他端は、上記係合子に挿通させてのち使用者の後面（背部）に現され後面側の重りとなるペンダント本体を吊り下げたネックレスを提供することにある。
【０００９】
またこの場合上記の使用者の前面及び後面に位置するペンダント本体の重さは、それぞれ同一若しくはそれに近いものとすることもその特徴である。
【００１０】
さらに上記の係合子は、チェーン本体の断面径よりやや大きい少なくとも２個の透孔がありかつ、球体内に収められその外径が上記透孔よりやや大きく、内径が上記チェーン本体の断面径よりやや小さい円筒状の弾性係止片としたことも本発明の特徴である。
【発明の効果】
【００１１】
而して本発明は、装着者（使用者）の前面に位置するペンダント本体と、同後面（背面）に位置するペンダント本体とを同時にチェーン本体に設けたから、それぞれのペンダント本体は使用者の前面と後面で仮令前面のペンダント本体が揺れ動いても、後者のそれにも独自の重さとなるペンダント本体は互いに干渉することなく安定した状態で、吊り下げられるチェーン本体が使用者の首に沿って廻動することがなく、このため前面と後面のペンダント本体や、チェーン本体の止め金具である係合子がそれらのペンダント本体と一体化して、外観的に体裁が悪くなる虞もないのである。
【００１２】
なお、それぞれのペンダント本体は、少なくともそれぞれのペンダント本体の重さを同等あるいはそれに近いものとすることによって、それぞれの揺動等の動きを他方のペンダント本体に伝え、チェーン本体を介して一方のペンダント本体を濫に移動させるなどの不体裁を未然に防止することができるのである。
【００１３】
また、上記係合子は上記の構造とすることによってこれら両者の係止作業、即ちチェーン本体の首まわりの調査作業はスムーズであり乍ら、確実に掛止することができ使用者の所望の位置に装飾体を配することができるのである。
【００１４】
以上述べたように本発明のネックレスは、極く簡単な作業でペンダント本体及びこれにチェーン本体を取付けることができ、かつチェーン本体に取付けられた係合子の位置を用意に変え得ると共に、仮令振動などがあってもその変えた位置がみだりに変えられることがない装身具を提供できたのである。
【発明を実施するための最良の形態】
【００１５】
図３で（１）は装飾が施された仮令えば直線状鎖状のチェーン本体であり、（２）はこれを身体に装着した際、前面に現される前面ペンダント本体であり、該前面ペンダント本体（１）の上端には透孔（３）がある止め金（４）があってかかる透孔（３）に上記チェーン本体（１）を挿通させることによって、ペンダント本体（２）はチェーン本体（１）に沿って自由に滑動することができる。
【００１６】
このチェーン本体（１）の一端は、後述する係合子（５）に固着されており、他端は、この係合子（５）の一方から該係合子（５）内を通過させて他方から引き出し、その末端に当該チェーン本体（１）を身体に装着した際、身体の後面（背部）に現される後面ペンダント本体（６）が固定されている。
【００１７】
この際この実施例で最も重要なことは、上記前面ペンダント本体（２）と後面ペンダント本体（６）のウェイト（重さ）の関係で、それぞれは略同一の重さか、あるいはそれに近い重さとすることが肝要である。
【００１８】
図５と図６で上記係合子（５）を詳細に述べると、金属、合金、プラスチック、セラミックを含む各種鉱石の材料で作られ、通常は球状で中は球状の空胴（７）となっている。
【００１９】
（８）は上記係合子（５）の中心軸線の両側に穿たれた透孔であり、（９）はこの係合子（５）の空胴（７）内に押し込まれるゴム、シリコンゴム、軟質合成樹脂などから作られる係止片であり、図６は弾性体からなる係止片（９）の斜視図である。
【００２０】
この係止片（９）は、中心軸線上に上記チェーン本体（１）が摺動可能に挿通される挿通孔（１０）がある円筒形状で、その外径は上記透孔（８）の内径より僅か小径のものとする。
【００２１】
またその長さは上記係合子（５）の空胴の内巾より短いサイズのものが好しい。
【００２２】
この係止片（９）を係合子（５）に挿入するには、先ずチェーン本体（１）を係止片（９）の挿通孔（１０）に挿通しておくことが好しい。次いで、このチェーン本体（１）を係合子（５）のそれぞれの透孔（８）に通したのち、係止片（９）の一端を上記一方の透孔（８）の周囲に押し当る。
【００２３】
然るのち当該係止片（９）を押し当つつ仮令えば回転力を与え、ゆっくりゆっくり廻すと、係止片（９）はその弾力により少しずつ係合子（５）内に挿入される。
【００２４】
この挿入手段を続けることで係止片（９）は係合子（５）の空胴（７）内に収り、その両端は係止片（９）の長がかかる空胴の巾より稍々長いことから空胴（７）内の両端の壁に密に係合され、この空胴（７）内から係止片（９）が飛び出すことがないような工夫がなされている。
【００２５】
いま図１でダイヤモンドのようなペンダント本体（２）をもったもので該ペンダント本体（２）の取付位置を変えたときは、片方の手でペンダント本体（２）をもち、他方の手でチェーン本体（１）の一方を引っ張ればよい。
【００２６】
またかかるネックレスを首にかける場合などその大きさ（径）を変えたいときも、上記ペンダント本体（２）あるいは（６）のいずれか一方を片手でもち、他方の手でチェーン本体（１）を引っ張ればその径を自由な所望の大きさとすることができるのである。
【００２７】
而して、本発明のネックレスを使用するには、先ず環状となっている上記のチェーン本体（１）を身体の首部に捲装し、前面ペンダント本体（２）を身体の前面に吊り下げるようにし、同時に後面ペンダント本体（６）は身体の後面に吊り下げるようにする。
【００２８】
かくなすことにより、従来は身体の激しい振動などでチェーン本体（１）やペンダント本体（２）が移動し、このため係合子（３）が使用者の前面に移動し、ペンダント本体（２）と共にいつのまにか使用者の前面に共に現れ吊り下げられるような不祥事が未然に防止できたのである。
【００２９】
なお、本発明に於ける前面ペンダント本体（２）と後面ペンダント本体（６）は同等の重さかあるいは後面ペンダント本体（６）に上記係合子（３）の重さをプラスしたものとするとよい。
【図面の簡単な説明】
【００３０】
【図１】本発明ネックレスの実施例の正面図
【図２】同使用状態の説明図
【図３】同拡大正面図
【図４】チェーン本体とペンダント本体の取付状態を示す断面説明図
【図５】係合子の断面説明図
【図６】弾性係止片の斜視図
【符号の説明】
【００３１】
１          鎖体
１’        鎖体
２          装飾体
２’        装飾体
３          透孔
４          係止片
５          装身具
６          空胴
７          挿通孔
８          ペンダント体
９          副飾り
１０        バネ付フック体
１１        リング